(57)【要約】【課題】冷却庫室と加温庫室間で熱伝導する内箱を省エネ・省資源設計の一環として廃止しても、高いシール性を確保し熱損失を抑制するとともに各板状断熱材の固定・結合を行い、断熱効率の高い断熱筺体および断熱仕切り板を提供する。【解決手段】断熱筺体３および断熱仕切り板５において、各板状断熱材の互いに当接する部位に、接着性およびシール性を有する液状またはゲル状の材料６を介在して組み込むことで、高いシール性を確保し熱損失を抑制し機器の省エネを行うことができる。【選択図】図１
2005202560.tif 000002
【特許請求の範囲】
【請求項１】
冷却或いは加熱される商品を収納する筺体において、複数の板状断熱材を方形状に前記筐体に組み込んで形成する断熱筺体と前記断熱筐体内を仕切るための断熱仕切り板において、前記各板状断熱材どうし、または前記各板状断熱材と前記断熱仕切り板が互いに当接する部位に、接着性およびシール性を有する液状またはゲル状の材料を介在して組み込んだことを特徴とする断熱筺体および断熱仕切り板。
【請求項２】
冷却或いは加熱される商品を収納する筺体において、複数の板状断熱材を方形状に前記筐体に組み込んで形成する断熱筺体と前記断熱筐体内を仕切るための断熱仕切り板において、前記各板状断熱材どうし、または前記各板状断熱材と前記断熱仕切り板が互いに当接する部位に、接着性およびシール性を有する面状の材料を介在して組み込んだことを特徴とする断熱筺体および断熱仕切り板。
【請求項３】
前記各板状断熱材の互いに当接する部位に、凹部を設け填め込み可能に形成したことを特徴とする請求項１または請求項２記載の断熱筺体および断熱仕切り板。
【請求項４】
冷却或いは加熱される商品を収納する筺体において、複数の板状断熱材を方形状に前記筐体に組み込んで形成する断熱筺体と前記断熱筐体内を仕切るための断熱仕切り板において、前記各板状断熱材どうし、または前記各板状断熱材と前記断熱仕切り板が互いに当接する部位に、組み込んだ後に接着性およびシール性を有する液状またはゲル状の材料を注入したことを特徴とする断熱筺体および断熱仕切り板。
【発明の詳細な説明】
【技術分野】
【０００１】
本発明は、自動販売機や冷凍・冷蔵ショーケース等の本体ケースを形成する断熱筺体および断熱仕切り板に関するものである。
【背景技術】
【０００２】
従来、自動販売機や冷凍・冷蔵ショーケースにおいては、商品を収納する本体ケースの高い断熱性を確保すべく、ウレタン発泡樹脂等にて形成された板状断熱材が使用されている。近年、環境問題の観点から機器の省エネが強く求められるようになり、高効率の電気部品の採用、省エネ制御の採用、断熱性能の向上が行われ消費電力量の削減が注目されている。
【０００３】
複数の板状断熱材を方形状に組み込んで形成する断熱筺体および断熱仕切り板において、それぞれの板状断熱材の表面に補強鉄板が具備され、前記補強鉄板同士を締結ピースにてネジ等を用いて結合させて、前記板状断熱材の固定・結合を行っているものがあります。
【０００４】
また、各板状断熱材の間に弾性材を設けて各板状断熱材の間のクリアランスを除去した断熱筺体について開示したもの（例えば、特許文献１参照）があります。
【０００５】
特許文献１に記載された従来の断熱筺体は、まず、本体ケースの外面を構成する方形状の外箱を形成し、ついで、この外箱の内側に断熱筺体を配置する。この断熱筺体の配置の例として、まず、外箱の上部下面に断熱性の上板を配置し、ついで、外箱の底面に断熱性の底板を配置し、更に外箱の両側面に断熱性の側板を配置し、さらにまた、外箱の背面側に断熱性の背板を配置し、これにより、外箱の内側に方形状の断熱筺体が形成される。その後、断熱筺体の内側にその内面に沿うように形成された内箱を配置し、本体ケースが構成される。
【０００６】
この場合は、各板状断熱材は外箱と内箱の間に入り、規制されるため各板状断熱材をお互いに固定・結合の必要はない。また、断熱仕切り板においては、内箱を配置したのち表面に補強鉄板が具備された板状断熱材を、前記補強鉄板を締結ピースにて内箱の底面・背面・天面にネジ等を用いて結合させて、断熱仕切り板の固定・結合を行っている。
【特許文献１】特開平１１−３５３５４４号公報
【発明の開示】
【発明が解決しようとする課題】
【０００７】
しかしながら、前記従来の構成では複数の商品収納室を備えた自動販売機やショーケースで、一方を冷却室とし他方を加温室とした場合に、内箱による熱伝導が熱損失となる課題を有していた。
【０００８】
本発明は、前記従来の課題を解決するもので、内箱を省エネ・省資源設計の一環として廃止しても、高いシール性を確保し熱損失を抑制するとともに各板状断熱材の固定・結合を行った断熱効率の高い断熱筺体および断熱仕切り板を提供することを目的とする。
【課題を解決するための手段】
【０００９】
前記従来の課題を解決するために、本発明の断熱筺体および断熱仕切り板は、各板状断熱材の互いに当接する部位に、接着性およびシール性を有する液状またはゲル状の材料を介在して組み込んだものである。
【発明の効果】
【００１０】
本発明の断熱筺体および断熱仕切り板は、高いシール性を確保し熱損失を抑制し機器の省エネになるとともに、各板状断熱材の固定・結合を行い材料合理化・部品の削減を行うことができる。
【発明を実施するための最良の形態】
【００１１】
請求項１に記載の発明は、冷却或いは加熱される商品収納用の筺体を、複数の板状断熱材を方形状に組み込んで形成する断熱筺体および断熱仕切り板において、前記各板状断熱材の互いに当接する部位に、接着性およびシール性を有する液状またはゲル状の材料を介在して組み込んだものであり、高いシール性を確保し熱損失を抑制するとともに同時に各板状断熱材の固定・結合を行い材料合理化・部品の削減を行うことができる。
【００１２】
請求項２に記載の発明は、冷却或いは加熱される商品収納用の筺体を、複数の板状断熱材を方形状に組み込んで形成する断熱筺体および断熱仕切り板において、前記各板状断熱材の互いに当接する部位に、接着性およびシール性を有する面状の材料を介在して組み込んだものであり、高いシール性を確保し熱損失を抑制するとともに同時に各板状断熱材の固定・結合を行い材料合理化・部品の削減を行うことができる。
【００１３】
請求項３に記載の発明は、冷却或いは加熱される商品収納用の筺体を、複数の板状断熱材を方形状に組み込んで形成する断熱筺体および断熱仕切り板において、前記各板状断熱材の互いに当接する部位に凹部を設け填め込み可能に形成し、接着性およびシール性を有する液状またはゲル状の材料を介在して組み込んだものであり、高いシール性を確保し熱損失を抑制するとともに、填め込み可能に形成しているので位置決めが容易で組立性も向上し、さらに各板状断熱材の固定・結合ができるのでそのために必要であった材料の合理化・部品の削減を行うことができる。
【００１４】
請求項４に記載の発明は、冷却或いは加熱される商品収納用の筺体を、複数の板状断熱材を方形状に組み込んで形成する断熱筺体および断熱仕切り板において、前記各板状断熱材の互いに当接する部位に、組み込んだ後に接着性およびシール性を有する液状またはゲル状の材料を注入したものであり、高いシール性を確保し熱損失を抑制するとともに同時に各板状断熱材の固定・結合を行い材料合理化・部品の削減を行うことができる。
【００１５】
以下、本発明による断熱筺体および断熱仕切り板の実施の形態について、図面を参照しながら説明する。本実施の形態によって本発明が限定されるものではない。
【００１６】
（実施の形態１）
図１は、本発明の実施の形態１による断熱筺体および断熱仕切り板の要部を示す断面図である。図２は、同実施の形態による断熱筺体および断熱仕切り板の組み付け斜視図である。
【００１７】
図において、本体ケース１は前面が開放された半密閉構造で、外箱２と断熱筺体３とから構成されるもので、この本体ケース１内には商品を収納するサーペンタインコラム（図示せず）等が収容される。なお、この本体ケース１はその下方に隔離された機械室４を有し、この機械室４に圧縮機（図示せず）等からなる冷却ユニット（図示せず）が設置されている。断熱筺体３は、板状断熱材（背板）３１・板状断熱材（底板）３２・板状断熱材（上板）３３・板状断熱材（側板）３４と３５の各板状断熱材から構成される。断熱仕切り板５は断熱筺体３を複数の庫室に仕切るための板状断熱材である。これらの板状断熱材はウレタン発泡樹脂等にて形成され、表面に紙系の面材または樹脂系の面材を備えている。接着性およびシール性を有する液状またはゲル状の材料６は、前記断熱筺体３や断熱仕切り板５の互いに当接する部位に組み込み時に介在したもので、各板状断熱材の固定・結合を行うとともに高いシール性を確保するものである。例えば、シリコン系シール材・ウレタン系シール材・脱アルコール系シール材や発泡メルトや熱硬化性接着材等を用いることができ、注入ガンにて前記断熱筺体３や断熱仕切り板５の当接する部位に塗布したのち組み込むことで所定の時間が経つと各板状断熱材同士またはその表面に備えた紙系の面材または樹脂系の面材を接着し、接合部のシールができるものである。
【００１８】
この断熱筺体３の配置の例として、まず、外箱２の上部下面に断熱性の上板３３を配置し、次に外箱２の底面に断熱性の底板３２を配置し、さらに背面側に断熱性の背板３１を配置し、更に外箱の両側面に断熱性の側板３４と３５を配置し、これにより、外箱の内側に方形状の断熱筺体が形成される。その後、断熱筺体の内側に断熱仕切り板５を配置し、本体ケース１が構成される。
【００１９】
この場合は、各板状断熱材は外箱の内側に配置されるが、従来あった内箱を熱伝導低減と省資源設計のため廃止するため、接着性およびシール性を有する液状またはゲル状の材料６にて各板状断熱材をお互いに固定・結合したものである。
【００２０】
以上のように構成された断熱筺体および断熱仕切り板について、以下その動作、作用を説明する。このようにして組み込まれた前記断熱筺体３と断熱仕切り板５は、開閉自在の断熱扉７で塞がれ、その内部に設けた冷却装置（図示せず）と加熱装置（図示せず）により、庫内は所定の温度に冷却または加温するように制御が行われ、商品を所定の温度で保存することができる。各板状断熱材で互いに当接する部位に、接着性およびシール性を有する液状またはゲル状の材料６を塗布して組み込むことで、各板状断熱材同士またはその表面に備えた紙系の面材または樹脂系の面材を接着し、当接する部位の高いシール性を確保し熱損失を抑制するとともに同時に各板状断熱材の固定・結合を行うことができる。
【００２１】
各板状断熱材は、高い断熱性を確保すべく、ウレタン発泡樹脂等にて形成されたものがよく使われるが、内部に真空断熱材を備えたウレタン発泡樹脂の成形品を用いた場合は、締結ピースやネジ等を用いた断熱材の固定・結合は、真空断熱材の被覆をいためる可能性があるので、接着性およびシール性を有する液状またはゲル状の材料６による断熱材の固定・結合は効果がある。
【００２２】
以上のように本実施の形態においては、各板状断熱材の互いに当接する部位に、接着性およびシール性を有する液状またはゲル状の材料６を介在して組み込むことで、当接する部位の高いシール性を確保し熱損失を抑制するとともに同時に各板状断熱材の固定・結合を行い内箱・締結ピース廃止による材料合理化・部品の削減を行うことができる。
【００２３】
（実施の形態２）
以下、本発明による断熱筺体および断熱仕切り板の実施の形態２について、図面を参照しながら説明する。なお、実施の形態１と同一構成については同一符号を付して、詳細な説明を省略する。
【００２４】
図３は、本発明の実施の形態２による断熱筺体および断熱仕切り板の要部を示す断面図である。図において、接着性およびシール性を有する面状の材料８は、断熱筺体３や断熱仕切り板５の互いに当接する部位に組み込み時に介在したものである。例えば、両面テープやウレタンフォーム等の弾性体の両面に接着面を備えたもの等を用いることができ、前記断熱筺体３や断熱仕切り板５の当接する部位に予め片面を貼り付けた後に組み込むことで各板状断熱材の接着とシールができるものである。
【００２５】
以上のように構成された断熱筺体および断熱仕切り板について、以下その動作、作用を説明する。このようにして組み込まれた前記断熱筺体３と断熱仕切り板５は、開閉自在の断熱扉７で塞がれ、その内部に設けた冷却装置（図示せず）と加熱装置（図示せず）により、庫内は所定の温度に冷却または加温するように制御が行われ、商品を所定の温度で保存することができる。各板状断熱材の互いに当接する部位に、接着性およびシール性を有する面状の材料８を介在して組み込むことで、各板状断熱材同士またはその表面に備えた紙系の面材または樹脂系の面材を接着し、当接する部位の高いシール性を確保し熱損失を抑制するとともに同時に各板状断熱材の固定・結合を行うことができる。
【００２６】
以上のように本実施の形態においては、各板状断熱材の互いに当接する部位に、接着性およびシール性を有する面状の材料８を介在して組み込むことで、当接する部位の高いシール性を確保し熱損失を抑制するとともに同時に各板状断熱材の固定・結合を行い内箱・締結ピース廃止による材料合理化・部品の削減を行うことができる。
【００２７】
（実施の形態３）
以下、本発明による断熱筺体および断熱仕切り板の実施の形態３について、図面を参照しながら説明する。なお、実施の形態１、実施の形態２と同一構成については同一符号を付して、詳細な説明を省略する。
【００２８】
図４は、本発明の実施の形態３による断熱筺体および断熱仕切り板の要部を示す断面図である。図において、填め込み可能な断熱筺体３ａは、各板状断熱材の当接する部位に凹部９を設け、填め込み式としたものである。また、填め込み可能な断熱仕切り板５ａは、当接する部位が凹部９で、填め込みにて組み込んだものである。接着性およびシール性を有する液状またはゲル状の材料６は、填め込み可能な断熱筺体３ａや填め込み可能な断熱仕切り板５ａの互いに当接する部位すなわち凹部９に組み込み時に塗布したものである。例えば、シリコン系シール材・ウレタン系シール材・脱アルコール系シール材や発泡メルトや熱硬化性接着材等を用いることができ、注入ガンにて当接する部位に塗布したのち組み込むことで所定の時間が経つと各板状断熱材同士またはその表面に備えた紙系の面材または樹脂系の面材を接着し、接合部のシールができるものである。
【００２９】
以上のように構成された断熱筺体および断熱仕切り板について、以下その動作、作用を説明する。このようにして填め込み形状にもとづき組み込まれた前記断熱筺体３と断熱仕切り板４は、開閉自在の断熱扉７で塞がれ、その内部に設けた冷却装置（図示せず）と加熱装置（図示せず）により、庫内は所定の温度に冷却または加温するように制御が行われ、商品を所定の温度で保存することができる。各板状断熱材の当接する部位に凹部９を設け、填め込み式とすることで、組立て時の位置決めが容易となり、組立て作業のバラツキを少なくするとともに、各板状断熱材の当接面積が大きくなり、シール性を向上させ、熱損失を少なくすることができる。さらに、接着性およびシール性を有する液状またはゲル状の材料６を介在して組み込むことで、各板状断熱材同士またはその表面に備えた紙系の面材または樹脂系の面材を接着し、当接する部位のシール性をさらに高め、熱損失を抑制するとともに同時に各板状断熱材の固定・結合を行うことができる。
【００３０】
以上のように本実施の形態においては、各板状断熱材の互いに当接する部位に凹部９を設け、填め込み可能に形成することで、組立て時の位置決めが容易となり、組立て作業のバラツキを少なくすることができ、さらに接着性およびシール性を有する液状またはゲル状の材料６を介在して組み込むことで、当接する部位の高いシール性を確保し熱損失を抑制するとともに同時に各板状断熱材の固定・結合を行い内箱・締結ピース廃止による材料合理化・部品の削減を行うことができる。
【００３１】
（実施の形態４）
以下、本発明による断熱筺体および断熱仕切り板の実施の形態４について、図面を参照しながら説明する。なお、実施の形態１、実施の形態２、実施の形態３と同一構成については同一符号を付して、詳細な説明を省略する。
【００３２】
図５は、本発明の実施の形態４による断熱筺体および断熱仕切り板の正面断面図である。
【００３３】
図において、接着性およびシール性を有する液状またはゲル状の材料６は、断熱筺体３や断熱仕切り板５を組み込んだ後に、各板状断熱材が当接し直角を形成している部分に流し込むように注入したものである。例えば、シリコン系シール材・ウレタン系シール材・脱アルコール系シール材や発泡メルトや熱硬化性接着材等を用いることができ、注入ガンにて前記断熱筺体３や断熱仕切り板５の当接する部位に組み込んだ後に注入することで所定の時間が経つと各板状断熱材同士またはその表面に備えた紙系の面材または樹脂系の面材を接着し、接合部のシールができるものである。
【００３４】
以上のように構成された断熱筺体および断熱仕切り板について、以下その動作、作用を説明する。このようにして組み込まれた前記断熱筺体３と断熱仕切り板５は、開閉自在の断熱扉７で塞がれ、その内部に設けた冷却装置（図示せず）と加熱装置（図示せず）により、庫内は所定の温度に冷却または加温するように制御が行われ、商品を所定の温度で保存することができる。各板状断熱材の互いに当接する部位に、接着性およびシール性を有する液状またはゲル状の材料６を組み込んだ後に注入することで、当接する部位の高いシール性を確保し熱損失を抑制するとともに同時に各板状断熱材の固定・結合を行うことができる。
【００３５】
以上のように本実施の形態においては、各板状断熱材の互いに当接する部位に、接着性およびシール性を有する液状またはゲル状の材料６を組み込んだ後に注入することで、当接する部位の高いシール性を確保し熱損失を抑制するとともに同時に各板状断熱材の固定・結合を行い内箱・締結ピース廃止による材料合理化・部品の削減を行うことができる。
【産業上の利用可能性】
【００３６】
本発明の断熱筺体および断熱仕切り板は、自動販売機、冷凍・冷蔵庫および冷凍・冷蔵ショーケースにも適用できる。
【図面の簡単な説明】
【００３７】
【図１】本発明の実施の形態１における断熱筺体および断熱仕切り板の要部を示す断面図
【図２】本発明の実施の形態１における断熱筺体および断熱仕切り板の組み付け斜視図
【図３】本発明の実施の形態２における断熱筺体および断熱仕切り板の要部を示す断面図
【図４】本発明の実施の形態３における断熱筺体および断熱仕切り板の要部を示す断面図
【図５】本発明の実施の形態４における断熱筺体および断熱仕切り板の正面断面図
【符号の説明】
【００３８】
３    断熱筺体
３ａ    填め込み可能な断熱筺体
３１，３２，３３，３４，３５    板状断熱材
５    断熱仕切り板
５ａ    填め込み可能な断熱仕切り板
６    接着性およびシール性を有する液状またはゲル状の材料
８    接着性およびシール性を有する面状の材料
【図１】
2005202560.tif 000003
【図２】
2005202560.tif 000004
【図３】
2005202560.tif 000005
【図４】
2005202560.tif 000006
【図５】
2005202560.tif 000007